(57)【要約】【課題】  いわゆる「ジェット状の滴下」や、「連続滴下」となることなく、容器内に収容される内容物を、被滴下部に対して、常に所定の分量だけ確実に滴下することができる容器用補助具を提供する。【解決手段】容器１２の口部１２ａを所定の滴下位置の上方に保持するための位置保持部材１４と、容器１２内に収容した内容物を、所定の分量滴下するための摘み部材２４とを備え、摘み部材２４が、折曲することにより相互に離接するように形成された一対のフィン部３０を備え、フィン部３０が、容器本体１２ｂの上下部分１２ｃ、１２ｄと当接して、容器本体１２ｂを押圧する上下当接部３０ａ、３０ｂと、上下当接部３０ａ、３０ｂの間で、フィン部に開口した開口部３８とを備える。【選択図】図１
2019119448.tif 000002
【特許請求の範囲】
【請求項１】
倒立した状態の容器の容器内に収容した内容物を、所定の分量滴下するために使用する容器用補助具であって、前記容器用補助具が、
前記容器の口部を脱着自在に装着し、容器の口部を所定の滴下位置の上方に保持するための位置保持部材と、
前記位置保持部材の上方に備えられ、前記容器の容器本体を、容器本体の両側部方向から挟持して、前記容器内に収容した内容物を、所定の分量滴下するための摘み部材とを備え、
前記摘み部材が、折曲することにより相互に離接するように形成された一対のフィン部を備え、
前記フィン部が、
前記容器本体の上下部分と当接して、容器本体を押圧する上下当接部を備えていることを特徴とする容器用補助具。
【請求項２】
前記フィン部が、
前記容器本体の上下部分と当接して、前記容器本体を押圧する前記上下当接部と
前記容器本体の変形量が抑えられるように、上下当接部の押圧力より小さい力で、容器本体を押圧する中間当接部とを備えることを特徴とする請求項１に記載の容器用補助具。
【請求項３】
前記中間当接部が、
前記上下当接部の間で、フィン部に開口した開口部と、
前記開口部の開口縁部に延設され、前記開口部を開閉する開閉部材とを備えることを特徴とする請求項２に記載の容器用補助具。
【請求項４】
前記中間当接部が、
前記上下当接部の間で、フィン部に開口した開口部と、
前記開口縁部に、リブを介して連結されたクッション部材とを備えることを特徴とする請求項２に記載の容器用補助具。
【請求項５】
倒立した状態の容器の容器内に収容した内容物を、所定の分量滴下するために使用する容器用補助具であって、前記容器用補助具が、
前記容器の容器本体を、容器本体の両側部方向から挟持して、前記容器内に収容した内容物を、所定の分量滴下するための摘み部材を備え、
前記摘み部材が、折曲することにより相互に離接するように形成された一対のフィン部を備え、
前記フィン部が、
前記容器本体の上下部分と当接して、容器本体を押圧する上下当接部
を備えていることを特徴とする容器用補助具。
【発明の詳細な説明】
【技術分野】
【０００１】
本発明は、例えば、点眼容器、点耳容器、薬剤塗布容器などの医薬品容器などの容器（以下、単に「容器」と言う）において、倒立した状態の容器の容器内に収容される、例えば、液状物質、流動物質、半流動物質、固形体、粉粒体などの固形物などからなる内容物（以下、「内容物」と言う）を、所定の分量滴下するために使用する容器用補助具に関する。
【０００２】
特に、本発明は、点眼容器において、倒立した状態の点眼容器の容器内に収容される、点眼液を、所定の分量滴下するために使用する容器用補助具に関する。
【背景技術】
【０００３】
従来、この種の容器において、例えば、点眼容器では、倒立した状態の点眼容器の容器内に収容される点眼液を、被滴下部である眼に対して、所定の距離上方から、所定の分量滴下するために、特許文献１（特開２００２−２４８１５７号公報）、特許文献２（特開２００７−２４４５１０号公報）、特許文献３（特開２００８−２９５８８０号公報）などに開示されるような点眼容器用補助具が提案されている。
【０００４】
これらの点眼容器用補助具では、いずれも、容器の口部を脱着自在に装着し、容器の口部を所定の滴下位置の上方に保持するために、略裁頭円錐形状の位置保持部材を備えている。
【０００５】
そして、この位置保持部材の上方には、容器の容器本体を、容器本体の両側部方向から挟持して押圧することにより、容器内に収容した内容物を、所定の分量滴下するための摘み部材を備えている。
【先行技術文献】
【特許文献】
【０００６】
【特許文献１】特開２００２−２４８１５７号公報
【特許文献２】特開２００７−２４４５１０号公報
【特許文献３】特開２００８−２９５８８０号公報
【発明の概要】
【発明が解決しようとする課題】
【０００７】
しかしながら、このような特許文献１〜特許文献３などに開示される従来の点眼容器用補助具ではいずれも、摘み部材を手（指）でもって押圧した際に、点眼容器本体の中央部分を押圧する構成である。
【０００８】
従って、このような従来の点眼容器用補助具では、摘み部材を手でもって押圧した際に、摘み量、押圧力、押圧速度が想定よりも大きい場合には、いわゆる「ジェット状の滴下」や、「連続滴下」となってしまい、点眼液を、被滴下部である眼に対して、所定の分量滴下することができないおそれがある。
【０００９】
特に、高齢者などにおいては、手先が震えたり、適度な押圧加減を調整することが困難であり、点眼液を、被滴下部である眼に対して、所定の分量滴下することができないおそれがある。
【００１０】
本発明は、このような現状に鑑み、摘み部材を手（指）で摘まんで押圧した際に、摘み量、押圧力が想定よりも大きい場合にも、いわゆる「ジェット状の滴下」や、「連続滴下」となることなく、容器内に収容される内容物を、被滴下部に対して、常に所定の分量だけ確実に滴下することができる容器用補助具を提供することを目的とする。
【課題を解決するための手段】
【００１１】
本発明は、前述したような従来技術における課題及び目的を達成するために発明されたものであって、本発明の容器用補助具は、
倒立した状態の容器の容器内に収容した内容物を、所定の分量滴下するために使用する容器用補助具であって、前記容器用補助具が、
前記容器の口部を脱着自在に装着し、容器の口部を所定の滴下位置の上方に保持するための位置保持部材と、
前記位置保持部材の上方に備えられ、前記容器の容器本体を、容器本体の両側部方向から挟持して、前記容器内に収容した内容物を、所定の分量滴下するための摘み部材とを備え、
前記摘み部材が、折曲することにより相互に離接するように形成された一対のフィン部を備え、
前記フィン部が、
前記容器本体の上下部分と当接して、容器本体を押圧する上下当接部を備えていることを特徴とする。
【００１２】
このように構成することによって、容器の口部を脱着自在に装着し、容器の口部を所定の滴下位置の上方に保持するための位置保持部材を備えていることによって、倒立した状態の容器の口部を、頂板部の容器装着用凹部に容易に脱着自在に挿着することができる。
【００１３】
また、位置保持部材によって、例えば、眼などの被滴下部に対して、容器の口部を所定の滴下位置であり、被滴下部の所定の位置、例えば、眼球の中心位置の上方に保持することができる。
【００１４】
これにより、眼などの被滴下部に対して、容器内に収容した内容物を、着実に所定の分量滴下することができる。
また、容器の口部（ノズル部）が眼と接触しない一定の距離に保つことができ、衛生的である。
【００１５】
さらに、位置保持部材の上方に備えられ、容器の容器本体を、容器本体の両側部方向から挟持して、容器内に収容した内容物を、所定の分量滴下するための摘み部材を備えている。
【００１６】
また、摘み部材が、折曲することにより相互に離接するように形成された一対のフィン部を備え、このフィン部が、容器本体の上下部分と当接して、容器本体を押圧する上下当接部と、を備えている。
【００１７】
従って、摘み部材の一対のフィン部を、手（指）で摘まんで押圧した際に、容器本体の比較的硬い部分である容器本体の上下部分を押すことになる。
【００１８】
すなわち、摘み部材を手（指）で摘まんで押圧した際に、上下当接部の間には何ら押圧部材が存在しないので、容器本体の胴部は押圧されず、フィン部の上下当接部が、容器本体の上下部分のみを押圧する。
【００１９】
その結果、摘み部材を手（指）で摘まんで押圧した際に、摘み量、押圧力が想定よりも大きい場合にも、容器本体の比較的弱い部分である容器本体の中央部分（胴部）は押圧されないため、容器本体の変形量が抑えられる。
【００２０】
これにより、摘み部材を手（指）で摘まんで押圧した際に、摘み量、押圧力が想定よりも大きい場合にも、いわゆる「ジェット状の滴下」や、「連続滴下」となることなく、容器内に収容される内容物を、被滴下部に対して、常に所定の分量だけ確実に滴下することができる。
【００２１】
また、本発明の容器用補助具は、
前記フィン部が、
前記容器本体の上下部分と当接して、前記容器本体を押圧する前記上下当接部と
前記容器本体の変形量が抑えられるように、上下当接部の押圧力より小さい力で、容器本体を押圧する中間当接部とを備えることを特徴とする。
【００２２】
従って、摘み部材の一対のフィン部を、手（指）で摘まんで押圧した際に、容器本体の比較的弱い部分である容器本体の中央部分（胴部）は、上下当接部の間に形成された中間当接部によって、容器本体の変形量が抑えられ、上下当接部の押圧力より小さい力で、容器本体を押圧することができる。
【００２３】
その結果、摘み部材を手（指）で摘まんで押圧した際に、摘み量、押圧力が想定よりも大きい場合にも、いわゆる「ジェット状の滴下」や、「連続滴下」となることなく、容器内に収容される内容物を、被滴下部に対して、常に所定の分量だけ確実に滴下することができる。
【００２４】
また、本発明の容器用補助具は、
前記中間当接部が、
前記上下当接部の間で、フィン部に開口した開口部と、
前記開口部の開口縁部に延設され、前記開口部を開閉する開閉部材とを備えることを特徴とする。
【００２５】
このように構成することによって、摘み部材を手（指）で摘まんで押圧した際に、フィン部の開口部に形成された開閉部材が、開口部を閉じる方向（すなわち、容器本体の胴部を押圧する方向）への移動する移動量が、フィン部の上下当接部が、容器本体の上下部分を押圧する方向への移動する移動量に比較して、抑えられることになる。
【００２６】
その結果、摘み部材を手（指）で摘まんで押圧した際に、摘み量、押圧力が想定よりも大きい場合にも、容器本体の比較的弱い部分である容器本体の中央部分（胴部）での押圧が抑制され、容器本体の変形量が抑えられ、上下当接部の押圧力より小さい力で、容器本体を押圧することができる。
【００２７】
これにより、摘み部材を手（指）で摘まんで押圧した際に、摘み量、押圧力が想定よりも大きい場合にも、いわゆる「ジェット状の滴下」や、「連続滴下」となることなく、容器内に収容される内容物を、被滴下部に対して、常に所定の分量だけ確実に滴下することができる。
【００２８】
また、本発明の容器用補助具は、
前記中間当接部が、
前記上下当接部の間で、フィン部に開口した開口部と、
前記開口縁部に、リブを介して連結されたクッション部材とを備えることを特徴とする。
【００２９】
このように構成することによって、摘み部材を手（指）で摘まんで押圧した際に、フィン部の開口部に形成されたリブを介して連結されたクッション部材が、そのクッション効果によって、開口部を閉じる方向（すなわち、容器本体の胴部を押圧する方向）への移動する移動量が、フィン部の上下当接部が、容器本体の上下部分を押圧する方向への移動する移動量に比較して、抑えられることになる。
【００３０】
その結果、摘み部材を手（指）で摘まんで押圧した際に、摘み量、押圧力が想定よりも大きい場合にも、容器本体の比較的弱い部分である容器本体の中央部分（胴部）での押圧が抑制され、容器本体の変形量が抑えられ、上下当接部の押圧力より小さい力で、容器本体を押圧することができる。
【００３１】
これにより、摘み部材を手（指）で摘まんで押圧した際に、摘み量、押圧力が想定よりも大きい場合にも、いわゆる「ジェット状の滴下」や、「連続滴下」となることなく、容器内に収容される内容物を、被滴下部に対して、常に所定の分量だけ確実に滴下することができる。
【００３２】
また、本発明の容器用補助具は、
倒立した状態の容器の容器内に収容した内容物を、所定の分量滴下するために使用する容器用補助具であって、前記容器用補助具が、
前記容器の容器本体を、容器本体の両側部方向から挟持して、前記容器内に収容した内容物を、所定の分量滴下するための摘み部材を備え、
前記摘み部材が、折曲することにより相互に離接するように形成された一対のフィン部を備え、
前記フィン部が、
前記容器本体の上下部分と当接して、容器本体を押圧する上下当接部を備えていることを特徴とする。
【００３３】
このように構成することによって、摘み部材の一対のフィン部を、手（指）で摘まんで押圧した際に、容器本体の比較的硬い部分である容器本体の上下部分で押すことになる。
【００３４】
すなわち、摘み部材を手（指）で摘まんで押圧した際に、上下当接部の間には何ら押圧部材が存在しないので、容器本体の胴部は押圧されず、フィン部の上下当接部が、容器本体の上下部分のみを押圧する。
【００３５】
その結果、摘み部材を手（指）で摘まんで押圧した際に、摘み量、押圧力が想定よりも大きい場合にも、容器本体の比較的弱い部分である容器本体の中央部分（胴部）は押圧されないため、容器本体の変形量が抑えられ、いわゆる「ジェット状の滴下」や、「連続滴下」となることなく、容器内に収容される内容物を、被滴下部に対して、常に所定の分量だけ確実に滴下することができる。
【００３６】
また、本発明の容器用補助具は、
倒立した状態の容器の容器内に収容した内容物を、所定の分量滴下するために使用する容器用補助具であって、前記容器用補助具が、
前記容器の口部を脱着自在に装着し、容器の口部を所定の滴下位置の上方に保持するための位置保持部材と、
前記位置保持部材の上方に、位置保持部材に対して脱着自在に備えられ、前記容器の容器本体を、容器本体の両側部方向から挟持して、前記容器内に収容した内容物を、所定の分量滴下するための摘み部材とを備え、
前記摘み部材が、折曲することにより相互に離接するように形成された一対のフィン部を備え、
前記フィン部が、
前記容器本体の上下部分と当接して、容器本体を押圧する上下当接部を備えていることを特徴とする。
【００３７】
このように構成することによって、摘み部材が、位置保持部材に対して脱着自在に備えられているので、位置保持部材、摘み部材を交換するだけで、被滴下部の種類、容器の種類、大きさに対応する容器用補助具を即座に組み立てることができ、極めて便利である。
【発明の効果】
【００３８】
本発明によれば、容器の口部を脱着自在に装着し、容器の口部を所定の滴下位置の上方に保持するための位置保持部材を備えていることによって、倒立した状態の容器の口部を、頂板部の容器装着用凹部に容易に脱着自在に挿着することができる。
【００３９】
また、位置保持部材によって、例えば、眼などの被滴下部に対して、容器の口部を所定の滴下位置であり、被滴下部の所定の位置、例えば、眼球の中心位置の上方に保持することができる。
【００４０】
これにより、眼などの被滴下部に対して、容器内に収容した内容物を、着実に所定の分量滴下することができる。
また、容器の口部（ノズル部）が眼と接触しない一定の距離に保つことができ、衛生的である。
【００４１】
さらに、位置保持部材の上方に備えられ、容器の容器本体を、容器本体の両側部方向から挟持して、容器内に収容した内容物を、所定の分量滴下するための摘み部材を備えている。
【００４２】
また、摘み部材が、折曲することにより相互に離接するように形成された一対のフィン部を備え、このフィン部が、容器本体の上下部分と当接して、容器本体を押圧する上下当接部と、を備えている。
【００４３】
従って、摘み部材の一対のフィン部を、手（指）で摘まんで押圧した際に、容器本体の比較的硬い部分である容器本体の上下部分を押すことになる。
【００４４】
すなわち、摘み部材を手（指）で摘まんで押圧した際に、上下当接部の間には何ら押圧部材が存在しないので、容器本体の胴部は押圧されず、フィン部の上下当接部が、容器本体の上下部分のみを押圧する。
【００４５】
その結果、摘み部材を手（指）で摘まんで押圧した際に、摘み量、押圧力が想定よりも大きい場合にも、容器本体の比較的弱い部分である容器本体の中央部分（胴部）は押圧されないため、容器本体の変形量が抑えられる。
【００４６】
これにより、摘み部材を手（指）で摘まんで押圧した際に、摘み量、押圧力が想定よりも大きい場合にも、いわゆる「ジェット状の滴下」や、「連続滴下」となることなく、容器内に収容される内容物を、被滴下部に対して、常に所定の分量だけ確実に滴下することができる。
【図面の簡単な説明】
【００４７】
【図１】図１は、本発明の容器用補助具の斜視図である。
【図２】図２（Ａ）は、図１の容器用補助具の正面図、図２（Ｂ）は、図２（Ａ）の容器用補助具のＡ−Ａ線での断面図である。
【図３】図３（Ａ）は、図１の容器用補助具の上面図、図３（Ｂ）は、図１の容器用補助具の下面図である。
【図４】図４（Ａ）は、図１の容器用補助具に倒立した状態の容器を装着して、摘み部材を閉じる方向に押圧した状態を示す斜視図、図４（Ｂ）は、図４（Ａ）の容器用補助具の上面図である。
【図５】図５（Ａ）は、図４（Ｂ）の容器用補助具のＢ−Ｂ線での断面図、図５（Ｂ）は、図４（Ａ）の容器用補助具のＣ方向の端面図である。
【図６】図６は、本発明の別の実施例の容器用補助具の斜視図である。
【図７】図７（Ａ）は、図６の容器用補助具に倒立した状態の容器を装着して、摘み部材を閉じる方向に押圧した状態を示す斜視図、図７（Ｂ）は、図７（Ａ）の容器用補助具の上面図である。
【図８】図８（Ａ）は、図７（Ｂ）の容器用補助具のＢ−Ｂ線での断面図、図８（Ｂ）は、図７（Ａ）の容器用補助具のＣ方向の端面図である。
【図９】図９は、本発明の別の実施例の容器用補助具の斜視図である。
【図１０】図１０（Ａ）は、図９の容器用補助具に倒立した状態の容器を装着して、摘み部材を閉じる方向に押圧した状態を示す斜視図、図１０（Ｂ）は、図１０（Ａ）の容器用補助具の上面図である。
【図１１】図１１（Ａ）は、図１０（Ｂ）の容器用補助具のＢ−Ｂ線での断面図、図１１（Ｂ）は、図１０（Ａ）の容器用補助具のＣ方向の端面図である。
【図１２】図１２は、本発明の別の実施例の容器用補助具を説明する概略図である。
【図１３】図１３は、本発明の別の実施例の容器用補助具を説明する概略図である。
【図１４】図１４（Ａ）は、実施例２の容器用補助具と類似した本発明の容器用補助具の別の実施例の斜視図、図１４（Ｂ）は、実施例３の容器用補助具と類似した本発明の容器用補助具の別の実施例の斜視図、図１４（Ｃ）は、実施例１の容器用補助具と類似した本発明の容器用補助具の別の実施例の斜視図である。
【図１５】図１５（Ａ）は、実施例２の容器用補助具と類似した本発明の容器用補助具の別の実施例３の部分分解斜視図、図１５（Ｂ）は、実施例３の容器用補助具と類似した本発明の容器用補助具の別の実施例の部分分解斜視図、図１５（Ｃ）は、実施例１の容器用補助具と類似した本発明の容器用補助具の別の実施例の部分分解斜視図である。
【発明を実施するための形態】
【００４８】
以下、本発明の実施の形態（実施例）を図面に基づいてより詳細に説明する。
（実施例１）
【００４９】
図１は、本発明の容器用補助具の斜視図、図２（Ａ）は、図１の容器用補助具の正面図、図２（Ｂ）は、図２（Ａ）の容器用補助具のＡ−Ａ線での断面図、図３（Ａ）は、図１の容器用補助具の上面図、図３（Ｂ）は、図１の容器用補助具の下面図、図４（Ａ）は、図１の容器用補助具に倒立した状態の容器を装着して、摘み部材を閉じる方向に押圧した状態を示す斜視図、図４（Ｂ）は、図４（Ａ）の容器用補助具の上面図、図５（Ａ）は、図４（Ｂ）の容器用補助具のＢ−Ｂ線での断面図、図５（Ｂ）は、図４（Ａ）の容器用補助具のＣ方向の端面図である。
【００５０】
図１〜図５（Ｂ）において、符号１０は、全体で本発明の容器用補助具を示している。
【００５１】
本発明の容器用補助具１０は、例えば、点眼容器、点耳容器、薬剤塗布容器などの医薬品容器などの容器において、倒立した状態の容器の容器内に収容される、例えば、液状物質、流動物質、半流動物質、固形体、粉粒体などの固形物などからなる内容物を、所定の分量滴下するために使用するための容器用補助具１０である。
【００５２】
なお、この実施例では、容器１２として、点眼容器に適用した場合を示しており、倒立した状態の容器１２の容器内に収容される、例えば、内容物として、点眼液を、所定の分量滴下するために使用するための容器用補助具１０について説明する。
図１〜図５に示したように、本発明の容器用補助具１０は、容器１２の口部１２ａを脱着自在に装着し、容器１２の口部１２ａを所定の滴下位置の上方に保持するための位置保持部材１４を備えている。
【００５３】
この位置保持部材１４は、略裁頭円錐形状であって、容器１２の口部１２ａを脱着自在に装着する容器装着用凹部１１が形成された頂板部１６を備えている。
【００５４】
この容器装着用凹部１１には、頂板部１６の開口部１８から、図２（Ｂ）〜図３（Ｂ）に示したように、一定中心角度（この実施例では、９０°）離間して、垂下するように延設され、下方に向かって相互に縮径する状態に形成された複数（この実施例では、４個）の弾性（バネ性）を有する容器保持片２０が形成されている。
【００５５】
また、これらの容器保持片２０は、図２（Ｂ）に示したように、下方に向かってその幅が、漸次狭くなるように形成されている。
【００５６】
なお、この実施例では、４個の容器保持片２０から形成したが、その数は、特に限定されるものではない。
【００５７】
また、位置保持部材１４の頂板部１６の外周から下方に向かって、拡径するように延設された保持部２２を備えている。この保持部２２の下端部２２ａの形状は、この実施例の場合には、容器１２が点眼容器であるので、被滴下部である眼の周りの顔の輪郭に沿った形状となっている。
【００５８】
さらに、本発明の容器用補助具１０は、位置保持部材１４の上方に備えられ、容器１２の容器本体１２ｂを、容器本体１２ｂの両側部方向から挟持して、容器１２内に収容した内容物である点眼液を、所定の分量滴下するための摘み部材２４を備えている。
【００５９】
すなわち、摘み部材２４は、図１〜図３（Ｂ）に示したように、位置保持部材１４の頂板部１６の後端部１６ａから、上方に延設するように形成された摘み部材本体２６を備えている。
【００６０】
そして、この摘み部材本体２６の両側に形成された上下方向の折り曲げ溝部２８を介して、両側（左右側）に外方向に延設された一対のフィン部３０を備えている。このフィン部３０は、図１、図２（Ａ）に示したように、指で把持しやすいように、その先端部が、下方に向かって広がった形状の把持部３２を備えている。
【００６１】
この把持部３２には、図４（Ａ）に示したように、その外側に、一定間隔離間して上下方向に延びる、複数個の（この実施例では、３個）すべり止め用突起部３４が形成されている。なお、このすべり止め用突起部３４の数は、特に限定されるものではない。
【００６２】
摘み部材２４は、これらの一対のフィン部３０の把持部３２を、指で把持して、図４（Ａ）の矢印Ｄに示したように、折り曲げ溝部２８を介して、折曲することにより相互に離接するように形成されている。
【００６３】
また、これらの一対のフィン部３０には、容器本体１２ｂの比較的硬い部分である上下部分１２ｃ、１２ｄと当接して、容器本体１２ｂを押圧する上下当接部３０ａ、３０ｂが形成されている。
【００６４】
そして、上下当接部３０ａ、３０ｂの間に形成され、容器本体１２ｂの変形量が抑えられるように、上下当接部３０ａ、３０ｂの押圧力より小さい力で、容器本体１２ｂを押圧する中間当接部３６を備えている。
【００６５】
すなわち、この実施例の容器用補助具１０では、図１、図２（Ａ）に示したように、フィン部３０の把持部３２と摘み部材本体２６との間に、上下当接部３０ａ、３０ｂの間で、フィン部３０に開口した開口部３８を備えている。
すなわち、図１〜図５（Ｂ）に示したように、中間当接部３６が、上下当接部３０ａ、３０ｂの間で、フィン部３０に開口した開口部３８のみから構成されている。
【００６６】
そして、上下当接部３０ａ、３０ｂが、容器本体１２ｂの上下部分１２ｃ、１２ｄを押圧し易いように、上下当接部３０ａ、３０ｂの内側には、水平方向に開口部３８に沿って延びる押圧用突設部４８ａ、４８ｂが、形成されている。
【００６７】
このように構成することによって、図４（Ａ）〜図４（Ｂ）の矢印Ｃに示したように、摘み部材２４を手（指）で摘まんで押圧した際に、開口部３８には何ら押圧部材が存在しないので、容器本体１２ｂの胴部１２ｅは押圧されず、フィン部３０の上下当接部３０ａ、３０ｂが容器本体１２ｂの上下部分１２ｃ、１２ｄのみを押圧する。
【００６８】
その結果、摘み部材２４を手（指）で摘まんで押圧した際に、摘み量、押圧力が想定よりも大きい場合にも、容器本体１２ｂの比較的弱い部分である容器本体１２ｂの中央部分（胴部１２ｅ）が押圧されず、容器本体１２ｂの変形量が抑えられる。
【００６９】
これにより、摘み部材２４を手（指）で摘まんで押圧した際に、摘み量、押圧力が想定よりも大きい場合にも、いわゆる「ジェット状の滴下」や、「連続滴下」となることなく、容器１２内に収容される内容物を、被滴下部に対して、常に所定の分量だけ確実に滴下することができる。
（実施例２）
【００７０】
図６は、本発明の別の実施例の容器用補助具の斜視図、図７（Ａ）は、図６の容器用補助具に倒立した状態の容器を装着して、摘み部材を閉じる方向に押圧した状態を示す斜視図、図７（Ｂ）は、図７（Ａ）の容器用補助具の上面図、図８（Ａ）は、図７（Ｂ）の容器用補助具のＢ−Ｂ線での断面図、図８（Ｂ）は、図７（Ａ）の容器用補助具のＣ方向の端面図である。
【００７１】
この実施例の容器用補助具１０は、図１〜図５に示した実施例の容器用補助具１０と基本的には同様な構成であり、同一の構成部材には、同一の参照番号を付して、その詳細な説明を省略する。
【００７２】
この実施例の容器用補助具１０では、開口部３８の一方の開口縁部３８ａ（すなわち、フィン部３０の基端部側の開口縁部３８ａ）に延設され、開口部３８を開閉する開閉部材４０を備えている。
【００７３】
これらの開閉部材４０の内側は、容器本体１２ｂの中間部である比較的弱い部分である中央部分（胴部１２ｅ）と当接する部分であり、図６に示したように、複数の（この実施例では、３個の）上下方向に一定間隔離間して形成され、水平方向に延びる部分円形形状の押圧突設片４１が形成されている。
【００７４】
すなわち、押圧突設片４１によって、一対のフィン部３０の把持部３２を、指で把持して、図７（Ａ）〜図８（Ｂ）に示したように、折り曲げ溝部２８を介して、折曲した際に、容器本体１２ｂの中間部である比較的柔らかい胴部１２ｅと当接して押圧しやすいように構成されている。なお、押圧突設片４１の数は、特に限定されるものではない。
【００７５】
なお、開閉部材４０の幅ｔの大きさは、容器１２の容器本体１２ｂの種類、形状などに応じて適宜選択すれば良いが、後述する開閉部材４０の押圧力などを考慮すれば、図８（Ａ）に示したように、開口部３８の幅Ｔに対して、１／３Ｔ〜Ｔとするのが望ましい。
【００７６】
このように構成される本発明の容器用補助具１０では、容器１２の口部１２ａを脱着自在に装着し、容器１２の口部１２ａを所定の滴下位置の上方に保持するための位置保持部材１４を備えており、位置保持部材１４が、容器１２の口部１２ａを脱着自在に装着する容器装着用凹部１１が形成された頂板部１６と、頂板部１６の外周から下方に向かって拡径するように延設された保持部２２とを備えている。
【００７７】
従って、倒立した状態の容器１２の口部１２ａを、頂板部１６の容器装着用凹部１１に容易に脱着自在に挿着することができる。
【００７８】
また、頂板部１６の外周から下方に向かって拡径するように延設された保持部２２によって、例えば、眼などの被滴下部に対して、容器１２の口部１２ａを所定の滴下位置であり、被滴下部の所定の位置、例えば、眼球の中心位置の上方に保持することができる。
【００７９】
これにより、眼などの被滴下部に対して、容器１２内に収容した内容物を、着実に所定の分量滴下することができる。
【００８０】
さらに、位置保持部材１４の上方に備えられ、容器１２の容器本体１２ｂを、容器本体１２ｂの両側部方向から挟持して、容器１２内に収容した内容物を、所定の分量滴下するための摘み部材２４を備えている。
【００８１】
また、摘み部材２４が、折曲することにより相互に離接するように形成された一対のフィン部３０を備え、このフィン部３０が、容器本体１２ｂの上下部分１２ｃ、１２ｄと当接して、容器本体１２ｂを押圧する上下当接部３０ａ、３０ｂと、上下当接部３０ａ、３０ｂの間で、容器本体１２ｂの変形量が抑えられるように、上下当接部３０ａ、３０ｂの押圧力より小さい力で、容器本体１２ｂを押圧する中間当接部３６とを備えている。
【００８２】
すなわち、中間当接部３６が、上下当接部３０ａ、３０ｂの間で、フィン部３０に開口した開口部３８と、開口部３８の開口縁部３８ａに延設され、開口部３８を開閉する開閉部材４０を備えている。
【００８３】
従って、図７（Ａ）矢印Ｄに示したように、摘み部材２４を手（指）で摘まんで押圧した際に、フィン部３０の開口部３８に形成された開閉部材４０が、開口部３８を閉じる方向（すなわち、容器本体１２ｂの胴部１２ｅを押圧する方向）への移動する移動量が、フィン部３０の上下当接部３０ａ、３０ｂが、容器本体１２ｂの上下部分１２ｃ、１２ｄを押圧する方向への移動する移動量に比較して、抑えられることになる。
【００８４】
その結果、摘み部材２４を手（指）で摘まんで押圧した際に、摘み量、押圧力が想定よりも大きい場合にも、容器本体１２ｂの比較的弱い部分である容器本体１２ｂの中央部分（胴部１２ｅ）での押圧が抑制され、容器本体１２ｂの変形量が抑えられ、上下当接部３０ａ、３０ｂの押圧力より小さい力で、容器本体１２ｂを押圧することができる。
【００８５】
これにより、摘み部材２４を手（指）で摘まんで押圧した際に、摘み量、押圧力が想定よりも大きい場合にも、いわゆる「ジェット状の滴下」や、「連続滴下」となることなく、容器１２内に収容される内容物を、被滴下部に対して、常に所定の分量だけ確実に滴下することができる。
【００８６】
なお、この実施例では、開口部３８の一方の開口縁部３８ａ（すなわち、フィン部３０の基端部側の開口縁部３８ａ）に延設され、開口部３８を開閉する一つの開閉部材４０を備えているが、図１２（Ａ）に示したように、開口部３８の両側の開口縁部３８ａに延設され、開口部３８をいわゆる「観音開き式」に開閉する２つの開閉部材４０を備えるように構成しても良い。
（実施例３）
【００８７】
図９は、本発明の別の実施例の容器用補助具の斜視図、図１０（Ａ）は、図９の容器用補助具に倒立した状態の容器を装着して、摘み部材を閉じる方向に押圧した状態を示す斜視図、図１０（Ｂ）は、図１０（Ａ）の容器用補助具の上面図、図１１（Ａ）は、図１０（Ｂ）の容器用補助具のＢ−Ｂ線での断面図、図１１（Ｂ）は、図１０（Ａ）の容器用補助具のＣ方向の端面図である。
【００８８】
この実施例の容器用補助具１０は、図１〜図５に示した実施例の容器用補助具１０と基本的には同様な構成であり、同一の構成部材には、同一の参照番号を付して、その詳細な説明を省略する。
【００８９】
この実施例の容器用補助具１０では、図９〜図１１（Ｂ）に示したように、中間当接部３６が、上下当接部３０ａ、３０ｂの間で、フィン部３０に開口した開口部３８の４辺の開口縁部３８ａに、複数個（この実施例では、合計４個）のリブ４２を介して連結された矩形形状のクッション部材４４を備えている。
【００９０】
また、クッション部材４４には、上記実施例の開閉部材４０の押圧突設片４１と同様に、水平方向に延びる部分円形形状の押圧突設片４６が形成されている。
【００９１】
すなわち、押圧突設片４６によって、一対のフィン部３０の把持部３２を、指で把持して、図１０（Ａ）〜図１１（Ｂ）に示したように、折り曲げ溝部２８を介して、折曲した際に、容器本体１２ｂの中間部である比較的柔らかい胴部１２ｅと当接して押圧しやすいように構成されている。
【００９２】
なお、この実施例の場合には、１個の押圧突設片４６としたが、その数は限定されるものではない。
【００９３】
なお、リブ４２の数は、４辺の開口縁部３８ａに全て設ける場合に、特に限定されるものではなく、少なくとも、２辺の開口縁部３８ａに設ければ良く、また、開口部３８の４辺の開口縁部３８ａに対して、そのリブ４２の数も特に限定されるものではない。
【００９４】
また、この実施例の場合には、矩形形状のクッション部材４４としたが、その形状は特に限定されるものではなく、例えば、円形形状、楕円形状、三角形形状、多角形状などとすることができる。
【００９５】
また、図１３（Ａ）〜図１３（Ｂ）に示したように、開口部３８の長手方向、幅方向に複数個のクッション部材４４を、リブ４２を介して連結することもできる。なお、クッション部材４４の数、配列は何ら限定されるものではない。
【００９６】
さらに、図１２（Ｂ）に示したように、リブ４２とクッション部材４４の幅を同じとして、格子状になるように形成して、この格子点４５の内側に、押圧突設片４６を形成するようにしても良い。
また、図１２（Ｃ）に示したように、クッション部材４４を複数個中心が重なるように配置しても良い。なお、クッション部材４４の数、配列は何ら限定されるものではない。
【００９７】
このように構成することによって、中間当接部３６が、上下当接部３０ａ、３０ｂの間で、フィン部３０に開口した開口部３８と、開口縁部３８ａに、リブ４２を介して連結されたクッション部材４４を備えている。
【００９８】
従って、図１０（Ａ）の矢印Ｄに示したように、摘み部材２４を手（指）で摘まんで押圧した際に、フィン部３０の開口部３８に形成されたリブ４２を介して連結されたクッション部材４４が、そのクッション効果によって、開口部３８を閉じる方向（すなわち、容器本体１２ｂの胴部１２ｅを押圧する方向）への移動する移動量が、フィン部３０の上下当接部３０ａ、３０ｂが、容器本体１２ｂの上下部分１２ｃ、１２ｄを押圧する方向への移動する移動量に比較して、抑えられることになる。
【００９９】
その結果、摘み部材２４を手（指）で摘まんで押圧した際に、摘み量、押圧力が想定よりも大きい場合にも、容器本体１２ｂの比較的弱い部分である容器本体１２ｂの中央部分（胴部１２ｅ）での押圧が抑制され、容器本体１２ｂの変形量が抑えられ、上下当接部３０ａ、３０ｂの押圧力より小さい力で、容器本体１２ｂを押圧することができる。
【０１００】
これにより、摘み部材２４を手（指）で摘まんで押圧した際に、摘み量、押圧力が想定よりも大きい場合にも、いわゆる「ジェット状の滴下」や、「連続滴下」となることなく、容器１２内に収容される内容物を、被滴下部に対して、常に所定の分量だけ確実に滴下することができる。
（実施例４）
【０１０１】
図１４（Ａ）は、実施例２の容器用補助具と類似した本発明の容器用補助具の別の実施例の斜視図、図１４（Ｂ）は、実施例３の容器用補助具と類似した本発明の容器用補助具の別の実施例の斜視図、図１４（Ｃ）は、実施例１の容器用補助具と類似した本発明の容器用補助具の別の実施例の斜視図である。
【０１０２】
これらの図１４（Ａ）〜図１４（Ｃ）の実施例の容器用補助具１０はそれぞれ、実施例１〜３の容器用補助具１０と基本的には同様な構成であり、同一の構成部材には、同一の参照番号を付して、その詳細な説明を省略する。
【０１０３】
この実施例の容器用補助具１０では、図１４（Ａ）〜図１４（Ｃ）に示したように、位置保持部材１４を備えておらず、その代わりに、摘み部材２４の摘み部材本体２６の下端に、略リング形状の脱着片５０を備えている。
【０１０４】
この脱着片５０のリングの中に、倒立した状態の容器１２の口部１２ａが、脱着自在に装着、保持することができるようになっている。なお、脱着片５０の先端には、脱着片５０を、その弾性力に抗して推し広げて、容器１２の口部１２ａを脱着するために、導入部５２が形成されている。
【０１０５】
このように構成することによって、倒立した状態の容器１２の口部１２ａを、脱着自在に装着、保持することができ、摘み部材２４を手（指）で摘まんで押圧した際に、摘み量、押圧力が想定よりも大きい場合にも、いわゆる「ジェット状の滴下」や、「連続滴下」となることなく、容器１２内に収容される内容物を、様々な被滴下部に対して、常に所定の分量だけ確実に滴下することができる。
（実施例５）
【０１０６】
図１５（Ａ）は、実施例２の容器用補助具と類似した本発明の容器用補助具の別の実施例３の部分分解斜視図、図１５（Ｂ）は、実施例３の容器用補助具と類似した本発明の容器用補助具の別の実施例の部分分解斜視図、図１５（Ｃ）は、実施例１の容器用補助具と類似した本発明の容器用補助具の別の実施例の部分分解斜視図である。
【０１０７】
これらの図１５（Ａ）〜図１５（Ｃ）の実施例の容器用補助具１０はそれぞれ、実施例１〜３の容器用補助具１０と基本的には同様な構成であり、同一の構成部材には、同一の参照番号を付して、その詳細な説明を省略する。
【０１０８】
この実施例の容器用補助具１０では、図１５（Ａ）〜図１５（Ｃ）に示したように、位置保持部材１４の位置保持部材１４の頂板部１６の後端部１６ａに、摘み部材装着用開口部５４が形成されている。
【０１０９】
この摘み部材装着用開口部５４に対応するように、摘み部材２４の摘み部材本体２６の下端に、装着片５６を備えている。
【０１１０】
この位置保持部材１４の摘み部材装着用開口部５４に、摘み部材２４の装着片５６を挿着することによって、摘み部材２４と位置保持部材１４とを、図１５（Ａ）〜図１５（Ｃ）の矢印で示したように、脱着自在に組み立てることができるように構成されている。
【０１１１】
このように構成することによって、摘み部材２４が、位置保持部材１４に対して脱着自在に備えられているので、位置保持部材１４、摘み部材２４を交換するだけで、被滴下部の種類、容器１２の種類、大きさに対応する容器用補助具１０を即座に組み立てることができ、極めて便利である。
【０１１２】
以上、本発明の好ましい実施の態様を説明してきたが、本発明はこれに限定されることはなく、例えば、上記実施例では、点眼容器、点耳容器、薬剤塗布容器などの医薬品容器などの容器において、容器内の収容部に収容される、例えば、液状物質、流動物質、半流動物質、固形体、粉粒体などの固形物などからなる内容物を、所定の分量滴下するために使用するための容器用補助具について説明したが、これ以外でも、例えば、食品分野、工業分野など所定の分量滴下するために使用するための容器用補助具に適用することができるなど本発明の目的を逸脱しない範囲で種々の変更が可能である。
【産業上の利用可能性】
【０１１３】
本発明は、例えば、点眼容器、点耳容器、薬剤塗布容器などの医薬品容器などの容器において、倒立した状態の容器の容器内に収容される、例えば、液状物質、流動物質、半流動物質、固形体、粉粒体などの固形物などからなる内容物を、所定の分量滴下するために使用するための容器用補助具に適用することができる。
【０１１４】
特に、本発明は、点眼容器において、倒立した状態の点眼容器の容器内に収容される、点眼液を、所定の分量滴下するために使用する容器用補助具に適用することができる。
【符号の説明】
【０１１５】
１０    容器用補助具
１１    容器装着用凹部
１２    容器
１２ａ    口部
１２ｂ    容器本体
１２ｃ、１２ｄ    上下部分
１２ｅ    中央部分（胴部）
１４    位置保持部材
１６    頂板部
１６ａ    後端部
１８    開口部
２０    容器保持片
２２    保持部
２２ａ    下端部
２４    摘み部材
２６    摘み部材本体
２８    折り曲げ溝部
３０    フィン部
３０ａ、３０ｂ    上下当接部
３２    把持部
３４    すべり止め用突起部
３６    中間当接部
３８    開口部
３８ａ    開口縁部
４０    開閉部材
４１    押圧突設片
４２    リブ
４４    クッション部材
４５    格子点
４６    押圧突設片
４８ａ、４８ｂ    押圧用突設部
５０    脱着片
５２    導入部
５４    摘み部材装着用開口部
５６    装着片
【図１】
2019119448.tif 000003
【図２】
2019119448.tif 000004
【図３】
2019119448.tif 000005
【図４】
2019119448.tif 000006
【図５】
2019119448.tif 000007
【図６】
2019119448.tif 000008
【図７】
2019119448.tif 000009
【図８】
2019119448.tif 000010
【図９】
2019119448.tif 000011
【図１０】
2019119448.tif 000012
【図１１】
2019119448.tif 000013
【図１２】
2019119448.tif 000014
【図１３】
2019119448.tif 000015
【図１４】
2019119448.tif 000016
【図１５】
2019119448.tif 000017